(57)【特許請求の範囲】
【請求項１】
床面に設置されるベース部と、
畳んだ時に前記ベース部が有するベース部収容部に収容され、展開した時に側面視が階段状となる伸縮部と、
を備えるドアストッパ。
【請求項２】
前記伸縮部は、
それぞれ他の伸縮体を収容する伸縮体収容部を有し、前記ベース部及び他の伸縮体と連結部によって連結される複数の伸縮体を備える請求項１に記載のドアストッパ。
【請求項３】
前記伸縮部は、
それぞれ他の伸縮体を収容する伸縮体収容部を有し、前記ベース部及び他の伸縮体と連結部によって連結される複数の伸縮体を備え、
複数の前記伸縮体は連結ピンによって扇状に展開可能に前記ベース部に係止される請求項１に記載のドアストッパ。
【請求項４】
側面視が階段状をなし、前記伸縮部を収容する補助部収容部を有する補助部をさらに備え、
前記ベース部は、
側面視が階段状をなし、前記伸縮部の一方の一部を摺動可能にベース部収容部に収容し、
前記補助部は、
前記伸縮部の他方の一部を摺動可能に補助部収容部に収容する請求項１に記載のドアストッパ。
【発明の詳細な説明】
【技術分野】
【０００１】
本発明は、ドアストッパに関する。
【背景技術】
【０００２】
ウイング式のドアが閉じることを規制するドアストッパには、様々な形状のものが存在する。
【０００３】
これらの中には、床面からドアの下端部までの長さが異なる場合でもドアが閉まることを規制することができるものがある。例えば、楔形の板体を複数個組み合わせて一つのドアストッパを形成するものなどがある（例えば、特許文献１。）。
【０００４】
他方、携帯できるドアストッパの需要が存在する。
【０００５】
例えば、ベビーカーに子供を乗せて運ぶ女性たちは、ベビーカーが出入口を通過するまで、安全にドアを開けておく必要がある。しかしながら、多くの場合にはドアにはドアストッパがなく、足や体によってドアを押さえてベビーカーを出入口に通過させざるを得ない。
【０００６】
従来のドアストッパは、このような女性たち等にとっては持ち運ぶのに不便であった。
【先行技術文献】
【特許文献】
【０００７】
【特許文献１】実開平２−２５６６８号公報
【発明の概要】
【発明が解決しようとする課題】
【０００８】
本発明が解決しようとする課題は、床面からドアの下端部までの長さが異なる場合でもドアが閉まることを規制することができる携帯に便利なドアストッパを提供することである。
【課題を解決するための手段】
【０００９】
本発明は、床面に設置されるベース部と、畳んだ時に前記ベース部が有するベース部収容部に収容され、展開した時に側面視が階段状となる伸縮部と、を備えるドアストッパを提供する。
【発明の効果】
【００１０】
本発明によれば、床面からドアの下端部までの長さが異なる場合でもドアが閉まることを規制することができる携帯に便利なドアストッパを提供することができる。
【図面の簡単な説明】
【００１１】
【図１】第１の実施形態のドアストッパの展開した状態を示す右斜視図である。
【図２】第１の実施形態のドアストッパの展開した状態を示す左斜視図である。
【図３】第１の実施形態のドアストッパの畳んだ状態を示す斜視図である。
【図４】第２の実施形態のドアストッパの展開した状態を示す右斜視図である。
【図５】第２の実施形態のドアストッパの畳んだ状態を示す斜視図である。
【図６】第３の実施形態のドアストッパを展開した状態を示す斜視図である。
【図７】第３の実施形態のドアストッパを畳んだ状態を示す斜視図である。
【図８】第３の実施形態のドアストッパを展開した状態を示す平面図である。
【図９】第３の実施形態のドアストッパを展開した状態を示す背面図である。
【図１０】第３の実施形態のドアストッパを畳んだ状態を示す背面図である。
【図１１】ドアストッパを設置した状態を示す右側面図である。
【図１２】ドアが閉じることを規制するドアストッパの状態を示す右側面図である。
【発明を実施するための形態】
【００１２】
以下、本発明の一実施形態に係るドアストッパを詳細に説明する。
【００１３】
（第１の実施形態）
図１は、本実施形態のドアストッパ１の展開した状態を示す右斜視図である。図２は、本実施形態のドアストッパ１の展開した状態を示す左斜視図である。図３は、本実施形態のドアストッパ１の畳んだ状態を示す斜視図である。
【００１４】
ドアストッパ１は、床面に設置され、展開した時に側面視が階段状となり、図１の左手前側から右奥側に閉まろうとするドアの動きを、ドアの下端部に当接することにより規制する。
【００１５】
図１から図３に示すように、ドアストッパ１は、ベース部１１と、伸縮部１２と、連結部である右側リンク１３Ａ及び左側リンク１３Ｂと、を備える。
【００１６】
伸縮部１２は、複数の伸縮体を備える。本実施形態においては、ドアストッパ１は、第１の伸縮体１２Ａ、第２の伸縮体１２Ｂ、及び第３の伸縮体の３つ伸縮体を備える。伸縮体の数は、３つより少なくても、多くてもよい。
【００１７】
ベース部１１は、床面に設置され、側面視が略矩形の形状をなす。
【００１８】
ベース部１１は、ベース規制部１１２のドア開方向前方側に、伸縮部１２を収容する伸縮体収容部であるベース部収容部１１１を備える。
【００１９】
ベース部１１は、上底面が平たんなベース規制部１１２を有する。ベース規制部１１２は床面とドアの下端部との間の距離がベース部１１の高さより長く、ベース部１１の下端部から第１の伸縮体１２Ａの上端部までの高さより短い場合に、ドアが閉まることを規制する際にドアの下端部と当接する。
【００２０】
この場合、ドアの下端部は第１の伸縮体１２Ａのドア開方向の後端側面である第１側面１２１Ｃにも当接する。
【００２１】
第１の伸縮体１２Ａは、側面視がほぼ矩形をなし、上底面が平たんな第１規制部１２１Ｂを有する。第１の伸縮体１２Ａは、ベース部収容部１１１に収容可能な大きさ及び形状を有する。
【００２２】
第１の伸縮体１２Ａは、第１規制部１２１Ｂのドア開方向前方側、つまり図１に向かって右奥側に、第２の伸縮体１２Ｂを収容する第１収容部１２１Ａを備える。
【００２３】
第１規制部１２１Ｂは、伸縮部１２を展開した場合において、床面とドアの下端部との間の距離がベース部１１の下端部からベース部１１の上端部までの高さより長く、ベース部１１の下端部から第２の伸縮体１２Ｂの上端部までの高さより短い場合に、ドアが閉まることを規制する際にドアの下端部と当接する。
【００２４】
この場合、ドアの下端部は第２の伸縮体１２Ｂのドア開方向の後端側面である第２側面１２２Ｃにも当接する。
【００２５】
第２の伸縮体１２Ｂは、側面視がほぼ矩形をなし、上底面が平たんな第２規制部１２２Ｂを有する。第２の伸縮体１２Ｂは、第１収容部１２１Ａに収容可能な大きさ及び形状を有する。
【００２６】
第２の伸縮体１２Ｂは、第２規制部１２２Ｂのドア開方向前方側に、第３の伸縮体１２Ｃを収容する第２収容部１２２Ａを備える。
【００２７】
第２規制部１２２Ｂは、伸縮部１２を展開した場合において、床面とドアの下端部との間の距離がベース部１１の下端部から第２の伸縮体１２Ｂの上端部までの高さより長く、ベース部１１の下端部から第３の伸縮体１２Ｃの上端部までの高さより短い場合に、ドアが閉まることを規制する際にドアの下端部と当接する。
【００２８】
この場合、ドアの下端部は第３の伸縮体１２Ｃのドア開方向の後端側面である第３側面１２３Ｃにも当接する。
【００２９】
第３の伸縮体１２Ｃは、第３側面１２３Ｃを有し、第２の伸縮体１２Ｂと連結部によって連結可能であり、第２収容部１２２Ａに収容可能であればその形状を問わない。
【００３０】
３本の右側リンク１３Ａは、ベース部１１と第１の伸縮体１２Ａ、第１の伸縮体１２Ａと第２の伸縮体１２Ｂ、第２の伸縮体１２Ｂと第３の伸縮体１２Ｃをそれぞれ連結する。
【００３１】
右側リンク１３Ａの一端は、内側に収容される伸縮体に設けられる湾曲穴１４Ａに回動可能及び摺動可能にピン止めされ、右側リンク１３Ａの他端は、外側の伸縮体に設けられる回動穴１６Ａに回動可能にピン止めされる。いちばん外側の右側リンク１３Ａは、他端がベース部１１に設けられる回動穴１６Ａに回動可能にピン止めされる。
【００３２】
右側リンク１３Ａは、展開した時に右側面視において、右側、つまり一端が高く、左側、つまり他端が低くなるように、設置される。
【００３３】
左側リンク１３Ｂは、右側リンク１３Ａと同様に、内側の伸縮体を外側の伸縮体ないしベース部１１とを連結する。
【００３４】
左側リンク１３Ｂは、右側リンク１３Ａとは逆向きに連結される。つまり、左側リンク１３Ｂは、展開した時に左側面視において、右側、つまり一端が高く、左側、つまり他端が低くなるように、設置される。
【００３５】
このように右側リンク１３Ａと左側リンク１３Ｂとを配置すると、ドアストッパ１は展開した時に側面視が階段形状の状態において止まる。
【００３６】
ドアストッパ１は、第３の伸縮体１２Ｃを床面方向に押し下げると、最終的に図３に示すように、各伸縮体がベース部１１のベース部収容部１１１の中にすべて収まり、持ち運びに好適な状態となる。
【００３７】
以上述べたように、本実施形態のドアストッパ１は、床面に設置されるベース部１１と、畳んだ時にベース部１１が有するベース部収容部１１１に収容され、展開した時に側面視が階段状となる複数の伸縮体（第１の伸縮体１２Ａ、第２の伸縮体１２Ｂ、及び第３の伸縮体１２Ｃ）と、これらの伸縮体を伸縮可能に連結する連結部（右側リンク１３Ａ及び左側リンク１３Ｂ）と、を備える。
【００３８】
従って、本実施形態によれば、展開すれば床面からドアの下端部までの長さが異なる場合でもドアが閉まることを規制することができ、畳めば携帯に便利な形状となるドアストッパを提供することができるという効果がある。
【００３９】
なお、連結部はリンク機構に限らず、溝部とピンであってもよい。この場合には、ピン及び溝部はベース部１１及び各伸縮体に一体成型成形されていてもよい。
【００４０】
一体成型すれば、製造コストを低く抑えることが可能になるという効果がある。
【００４１】
（第２の実施形態）
図４は、本実施形態のドアストッパ１の展開した状態を示す右斜視図である。図５は、本実施形態のドアストッパ１の畳んだ状態を示す斜視図である。
【００４２】
ドアストッパ１は、床面に設置され、展開した時に側面視が階段状となり、図４の左手前側から右奥側に閉まろうとするドアの動きを、ドアの下端部に当接することにより規制する。
【００４３】
図４及び図５に示すように、ドアストッパ１は、ベース部１１と、伸縮部１２と、連結部であるリンク１３及び連結ピン１７と、を備える。
【００４４】
伸縮部１２は、複数の伸縮体を備える。本実施形態においては、ドアストッパ１は、第１の伸縮体１２Ａ、第２の伸縮体１２Ｂ、及び第３の伸縮体の３つ伸縮体を備える。伸縮体の数は、３つより少なくても、多くてもよい。
【００４５】
ベース部１１は、床面に設置され、側面視が略矩形の形状をなす。
【００４６】
ベース部１１は、ベース規制部１１２のドア開方向前方側に、伸縮部１２を収容する伸縮体収容部であるベース部収容部１１１を備える。
【００４７】
ベース部１１は、上底面が平たんなベース規制部１１２を有する。ベース規制部１１２は床面とドアの下端部との間の距離がベース部１１の高さより長く、ベース部１１の下端部から第１の伸縮体１２Ａの上端部までの高さより短い場合に、ドアが閉まることを規制する際にドアの下端部と当接する。
【００４８】
この場合、ドアの下端部は第１の伸縮体１２Ａのドア開方向の後端側面である第１側面１２１Ｃにも当接する。
【００４９】
第１の伸縮体１２Ａは、側面視が横長のほぼ五角形をなし、展開した状態において上底面が平たんな第１規制部１２１Ｂを有する。第１の伸縮体１２Ａは、ベース部収容部１１１に収容可能な大きさ及び形状を有する。
【００５０】
第１の伸縮体１２Ａは、第１規制部１２１Ｂのドア開方向前方側に、第２の伸縮体１２Ｂを収容する第１収容部１２１Ａを備える。
【００５１】
第１規制部１２１Ｂは、伸縮部１２を展開した場合において、床面とドアの下端部との間の距離がベース部１１の下端部からベース部１１の上端部までの高さより長く、ベース部１１の下端部から第２の伸縮体１２Ｂの上端部までの高さより短い場合に、ドアが閉まることを規制する際にドアの下端部と当接する。
【００５２】
この場合、ドアの下端部は第２の伸縮体１２Ｂのドア開方向の後端側面である第２側面１２２Ｃにも当接する。
【００５３】
第２の伸縮体１２Ｂは、側面視がほぼ五角形をなし、展開した状態において上底面が平たんな第２規制部１２２Ｂを有する。第２の伸縮体１２Ｂは、第１収容部１２１Ａに収容可能な大きさ及び形状を有する。
【００５４】
第２の伸縮体１２Ｂは、第２規制部１２２Ｂのドア開方向前方側に、第３の伸縮体１２Ｃを収容する第２収容部１２２Ａを備える。
【００５５】
第２規制部１２２Ｂは、伸縮部１２を展開した場合において、床面とドアの下端部との間の距離がベース部１１の下端部から第２の伸縮体１２Ｂの上端部までの高さより長く、ベース部１１の下端部から第３の伸縮体１２Ｃの上端部までの高さより短い場合に、ドアが閉まることを規制する際にドアの下端部と当接する。
【００５６】
この場合、ドアの下端部は第３の伸縮体１２Ｃのドア開方向の後端側面である第３側面１２３Ｃにも当接する。
【００５７】
第３の伸縮体１２Ｃは、第３側面１２３Ｃを有し、第２の伸縮体１２Ｂと連結部によって連結可能であり、第２収容部１２２Ａに収容可能であればその形状を問わない。
【００５８】
連結ピン１７は、ベース部１１、第１の伸縮体１２Ａ、第２の伸縮体１２Ｂ、及び第３の伸縮体１２Ｃを、ドア開方向前方、つまり図４に向かって右奥側の端部において回動可能に係止する。
【００５９】
左右各３本のリンク１３は、ベース部１１と第１の伸縮体１２Ａ、第１の伸縮体１２Ａと第２の伸縮体１２Ｂ、第２の伸縮体１２Ｂと第３の伸縮体１２Ｃをそれぞれ連結する。
【００６０】
リンク１３の一端は、内側に収容される伸縮体に設けられる穴に回動可能にピン止めされ、リンク１３の他端は、外側の伸縮体に設けられる穴に回動可能にピン止めされる。いちばん外側のリンク１３は、他端がベース部１１に設けられる穴に回動可能にピン止めされる。
【００６１】
このようにリンク１３と連結ピン１７を配置すると、ドアストッパ１は連結ピンを中心として扇状に展開した時に側面視が階段形状の状態において止まる。
【００６２】
ドアストッパ１は、第３の伸縮体１２Ｃを床面方向に押し下げると、最終的に図５に示すように、各伸縮体がベース部１１のベース部収容部１１１の中にすべて収まり、持ち運びに好適な状態となる。
【００６３】
以上述べたように、本実施形態のドアストッパ１は、床面に設置されるベース部１１と、畳んだ時にベース部１１が有するベース部収容部１１１に収容され、展開した時に側面視が階段状となる複数の伸縮体（第１の伸縮体１２Ａ、第２の伸縮体１２Ｂ、及び第３の伸縮体１２Ｃ）と、これらの伸縮体を伸縮可能に連結する連結部（リンク１３及び連結ピン１７）と、を備える。
【００６４】
従って、本実施形態によれば、展開すれば床面からドアの下端部までの長さが異なる場合でもドアが閉まることを規制することができ、畳めば携帯に便利な形状となる、より軽いドアストッパを提供することができるという効果がある。
【００６５】
なお、連結部であるリンク１３はリンク機構に限らず、溝部とピンであってもよい。この場合には、ピン及び溝部はベース部１１及び各伸縮体に一体成型成形されていてもよい。
【００６６】
一体成型すれば、製造コストを低く抑えることが可能になるという効果がある。
【００６７】
（第３の実施形態）
図６は、本実施形態のドアストッパ１を展開した状態を示す斜視図である。図７は、本実施形態のドアストッパ１を畳んだ状態を示す斜視図である。図８は、本実施形態のドアストッパ１を展開した状態を示す平面図である。図９は、本実施形態のドアストッパ１を展開した状態を示す背面図である。図１０は、本実施形態のドアストッパ１を畳んだ状態を示す背面図である。
【００６８】
図６から図１０に示すように、ドアストッパ１は、床面に設置され、展開した時に側面視が階段状となり、図６の左手前側から右奥側に閉まろうとするドアの動きを、ドアの下端部に当接することにより規制する。
【００６９】
ドアストッパ１は、ベース部１１と、伸縮部１２と、補助部１８と、を備える。
【００７０】
ベース部１１は、側面視が階段形状をなし、右側面から伸縮部１２の左半分を収容する伸縮体収容部であるベース部収容部を備える。
【００７１】
補助部１８は、側面視が階段形状をなし、左側面から伸縮部１２の右半分を収容する補助部収容部を備える。
【００７２】
補助部１８は、伸縮部１２を挟み、ベース部１１に対向して配置される。
【００７３】
伸縮部１２は、側面視が階段形状をなし、摺動することにより左半分がベース部収容部に、左半分が補助部収容部に収容される。伸縮部１２は、さらに多段階に伸縮してもよい。
【００７４】
図９に示すように、伸縮部１２は両端にストッパ２０を有し、ベース部１１はベース部収容部に、補助部１８は補助部収容部に、ストッパ２０に当接することによりそれぞれ伸縮部１２が脱落することを規制する規制部１９を備える。
【００７５】
以上述べたように、本実施形態のドアストッパ１は、床面に設置されるベース部１１と、ベース部１１に対向して配置される補助部１８と、一方の一部がベース部１１の有するベース部収容部に、他方の一部が補助部１８の有する補助部収容部にそれぞれ摺動して展開可能に収容される伸縮部１２と、を備える。
【００７６】
従って、本実施形態によれば、部品点数を少なくして、展開すれば床面からドアの下端部までの長さが異なる場合でもドアが閉まることを規制することができ、畳めば携帯に便利な形状となるドアストッパを提供することができるという効果がある。
【００７７】
（ドアストッパの動作）
図１１は、実施形態１から実施形態３までのドアストッパ１を設置した状態を示す右側面図である。図１２は、ドアが閉じることを規制するドアストッパ１の状態を示す右側面図である。
【００７８】
図１１に示すように、ドア２が矢印Ｘ１に示す閉まる方向に変位すると、ドアストッパ１は、矢印Ｘ２に示す方向に、角Ｋを中心に回動する。
【００７９】
図１２に示すように、ドア２の点Ｂがドアストッパ１を押そうとすると、ドア２の点Ａにドアストッパ１が当接してドアストッパ１が回動することを規制する。このため、ドア２は、ドアストッパ１によって閉じる方向への動きが規制される。
【００８０】
（ドアストッパの材質）
ドアストッパ１は、少なくとも角Ｋの部分が摩擦抵抗の大きい材質、例えばゴム、エラストマ、木などのセルロース、凹凸加工された合成樹脂や金属などによって形成される。
【００８１】
また、ドアストッパ１は、ドア２が閉まることを規制しても変形したり破損したりしない程度の剛性を有する材質によって形成される。このような材質としては、合成樹脂、金属、木材などがあげられるが、これらに限られるものではない。
【符号の説明】
【００８２】
１  ドアストッパ
２  ドア
１１  ベース部
１２  伸縮部
１２Ａ  第１の伸縮体
１２Ｂ  第２の伸縮体
１２Ｃ  第３の伸縮体
１３  リンク
１３Ａ  右側リンク
１３Ｂ  左側リンク
１４Ａ  湾曲穴
１６Ａ  回動穴
１７  連結ピン
１８  補助部
１９  規制部
２０  ストッパ
１１１  ベース部収容部
１１２  ベース規制部
１２１Ａ  第１収容部
１２１Ｂ  第１規制部
１２１Ｃ  第１側面
１２２Ａ  第２収容部
１２２Ｂ  第２規制部
１２２Ｃ  第２側面
１２３Ｃ  第３側面
【要約】
【課題】床面からドアの下端部までの長さが異なる場合でもドアが閉まることを規制することができる携帯に便利なドアストッパを提供する。
【解決手段】ドアストッパ１は、床面に設置されるベース部１１と、畳んだ時に前記ベース部１１が有するベース部収容部１１１に収容され、展開した時に側面視が階段状となる伸縮部１２と、を備える。前記伸縮部１２は、それぞれ他の伸縮体（１２Ａ、１２Ｂ、１２Ｃ）を収容する伸縮体収容部（１２１Ａ、１２２Ａ）を有し、前記ベース部１１及び他の伸縮体（１２Ａ、１２Ｂ、１２Ｃ）と連結部（１３Ａ、１３Ｂ、または１３）によって連結される複数の伸縮体を備えてもよい。
【選択図】図１【図１】
0006854546.tif 000002
【図２】
0006854546.tif 000003
【図３】
0006854546.tif 000004
【図４】
0006854546.tif 000005
【図５】
0006854546.tif 000006
【図６】
0006854546.tif 000007
【図７】
0006854546.tif 000008
【図８】
0006854546.tif 000009
【図９】
0006854546.tif 000010
【図１０】
0006854546.tif 000011
【図１１】
0006854546.tif 000012
【図１２】
0006854546.tif 000013